(57)【要約】【課題】針管の内外周面と摺接する部材を損傷させることなく、超音波の反射エコー強度を増大させて、針管の明瞭な超音波エコー画像を得ることができる超音波内視鏡用穿刺針を提供すること。【解決手段】生体組織に穿刺される針管１２を備えていて、超音波内視鏡の処置具挿通チャンネル２１に挿脱される超音波内視鏡用穿刺針において、針管１２の少なくとも先端付近の部分が互いに嵌合する内外二重のパイプ１２ｉ，１２ｏを固着して形成され、内外二重のパイプ１２ｉ，１２ｏの嵌合面の少なくとも一方の面が微細な凹凸を有する粗面１６に形成されている。【選択図】      図１
2010193928.tif 000002
【特許請求の範囲】
【請求項１】
生体組織に穿刺される針管を備えていて、超音波内視鏡の処置具挿通チャンネルに挿脱される超音波内視鏡用穿刺針において、
上記針管の少なくとも先端付近の部分が互いに嵌合する内外二重のパイプを固着して形成され、上記内外二重のパイプの嵌合面の少なくとも一方の面が微細な凹凸を有する粗面に形成されていることを特徴とする超音波内視鏡用穿刺針。
【請求項２】
上記針管が、可撓性チューブ内に軸線方向に進退自在に挿通された状態に配置されている請求項１記載の超音波内視鏡用穿刺針。
【請求項３】
上記針管内に軸線方向に進退自在に可撓性の針軸が挿通される請求項１又は２記載の超音波内視鏡用穿刺針。
【請求項４】
上記内外二重のパイプのうち外側パイプの内周面のみが上記粗面に形成されている請求項１ないし３のいずれかの項に記載の超音波内視鏡用穿刺針。
【請求項５】
上記内外二重のパイプのうち内側パイプの外周面のみが上記粗面に形成されている請求項１ないし３のいずれかの項に記載の超音波内視鏡用穿刺針。
【請求項６】
上記内外二重のパイプの双方の嵌合面が上記粗面に形成されている請求項１ないし３のいずれかの項に記載の超音波内視鏡用穿刺針。
【請求項７】
上記内外二重のパイプからなる上記針管が、上記二重のパイプより径の大きな内外二重のパイプ素材を嵌合させた状態で軸線方向に引き伸ばして形成されたものである請求項１ないし６のいずれかの項に記載の超音波内視鏡用穿刺針。
【発明の詳細な説明】
【技術分野】
【０００１】
この発明は、超音波内視鏡の処置具挿通チャンネルに通して体腔内に導かれ、生体組織の採取や薬液の注射等に用いられる超音波内視鏡用穿刺針に関する。
【背景技術】
【０００２】
超音波内視鏡の処置具挿通チャンネルに通して体腔内に導かれた超音波内視鏡用穿刺針の針管の先端部分は、超音波内視鏡の先端に配置された超音波プローブによる超音波走査領域に突き出されて、生体組織の断層像等と共に超音波の反射エコー像として観察される。
【０００３】
しかし、体内に突出される超音波内視鏡用穿刺針の針管の先端部分は直径が例えば１ｍｍにも満たない細いものなので、超音波の反射エコー強度が極めて小さく、針管の明瞭な超音波画像を得ることができない場合が少なくない。
【０００４】
そこで従来は、針管の外周面又は内周面に円環状や直線状の微細な凹凸を多数形成することにより、超音波の反射エコー強度を増大させて、針管の明瞭な超音波エコー画像を得ることができるようにしていた（例えば、特許文献１、２）。
【先行技術文献】
【特許文献】
【０００５】
【特許文献１】特開２００４−１８１０９５
【特許文献２】特開２００６−２７１８７４
【発明の概要】
【発明が解決しようとする課題】
【０００６】
しかし、針管の外周面に凹凸を形成すると、針管の外周面が摺接するチューブ（例えば、超音波内視鏡用穿刺針のシースである可撓性チューブ、又は超音波内視鏡の処置具挿通チャンネル等）が削られて損傷する場合がある。
【０００７】
また、針管の内周面に凹凸を形成すると、針管内に可撓性の針軸を挿脱する使用法がとられた場合に、針軸が削られ（場合によっては針管内周面の凹凸側が欠け）てしまう場合がある。
【０００８】
本発明は、針管の内外周面と摺接する部材を損傷させることなく、超音波の反射エコー強度を増大させて、針管の明瞭な超音波エコー画像を得ることができる超音波内視鏡用穿刺針を提供することを目的とする。
【課題を解決するための手段】
【０００９】
上記の目的を達成するため、本発明の超音波内視鏡用穿刺針は、生体組織に穿刺される針管を備えていて、超音波内視鏡の処置具挿通チャンネルに挿脱される超音波内視鏡用穿刺針において、針管の少なくとも先端付近の部分が互いに嵌合する内外二重のパイプを固着して形成され、内外二重のパイプの嵌合面の少なくとも一方の面が微細な凹凸を有する粗面に形成されているものである。
【００１０】
なお、針管が、可撓性チューブ内に軸線方向に進退自在に挿通された状態に配置されていてもよく、針管内に軸線方向に進退自在に可撓性の針軸が挿通されるようになっていてもよい。
【００１１】
そして、内外二重のパイプのうち外側パイプの内周面のみが粗面に形成されていてもよく、内外二重のパイプのうち内側パイプの外周面のみが粗面に形成されていてもよい。或いは、内外二重のパイプの双方の嵌合面が粗面に形成されていてもよい。
【００１２】
また、内外二重のパイプからなる針管が、二重のパイプより径の大きな内外二重のパイプ素材を嵌合させた状態で軸線方向に引き伸ばして形成されたものであってもよい。
【発明の効果】
【００１３】
本発明によれば、針管の先端付近の部分を構成する内外二重のパイプの嵌合面の少なくとも一方の面が微細な凹凸を有する粗面に形成されていることにより、針管の内外周面と摺接する部材を損傷させることなく、超音波の反射エコー強度を増大させて、針管の明瞭な超音波エコー画像を得ることができる。
【図面の簡単な説明】
【００１４】
【図１】本発明の超音波内視鏡用穿刺針を構成する針管の第１の実施例の先端部分の拡大側面断面図である。
【図２】本発明の実施例における超音波内視鏡用穿刺針の全体構成図である。
【図３】本発明の超音波内視鏡用穿刺針を構成する針管の第２の実施例の先端部分の拡大側面断面図である。
【図４】本発明の超音波内視鏡用穿刺針を構成する針管の第３の実施例の先端部分の拡大側面断面図である。
【発明を実施するための形態】
【００１５】
以下、図面を参照して本発明の実施例を説明する。
図２は、超音波内視鏡用穿刺針１０が公知の超音波内視鏡２０の処置具挿通チャンネル２１に挿通されて、超音波内視鏡用穿刺針１０の先端部分が処置具挿通チャンネル２１の先端部分から突出した状態を示している。２３は、超音波内視鏡２０の挿入部２２の先端に配置された超音波プローブである。
【００１６】
超音波内視鏡用穿刺針１０は、シース（さや）として処置具挿通チャンネル２１内に挿脱自在な可撓性チューブ１１内に、軸線方向に進退自在に可撓性の針管１２が全長にわたって挿通配置された構成を備えている。可撓性チューブ１１としては、例えば四フッ化エチレン樹脂チューブやＰＥＥＫ（ポリエーテルエーテルケトン）樹脂チューブ等を用いることができる。
【００１７】
可撓性チューブ１１の基端には筒状の把持部１３が連結されていて、針管１２の基端に連結された針元口金１４が把持部１３の基端部から外方に突出している。針管１２と針元口金１４は可撓性チューブ１１と把持部１３に対して軸線方向にスライド自在であり、把持部１３に対して針元口金１４をスライド操作することにより、可撓性チューブ１１の先端１１ａから針管１２の先端を突没させることができる。
【００１８】
したがって、可撓性チューブ１１を処置具挿通チャンネル２１内に挿脱する際には針管１２を可撓性チューブ１１の先端１１ａ内に没入させておき、図２に示されるように、可撓性チューブ１１の先端１１ａが処置具挿通チャンネル２１の先端から突出したら、針管１２を可撓性チューブ１１の先端１１ａから突出させて、針管１２の先端を生体組織に穿刺し、針元口金１４に注射筒等を接続して生体組織の吸引採取や薬液注射等を行うことができる。
【００１９】
そのようにして超音波プローブ２３による超音波走査範囲３０内に突出された針管１２の先端部分は、生体組織の断層像等と共に超音波の反射エコー像として観察され、図示されていないモニタ画面にその像が描出される。              
【００２０】
図１は、そのような超音波内視鏡用穿刺針を構成する針管１２の第１の実施例の先端部分を拡大して示しており、針管１２は、全長において互いに嵌合する内外二重のパイプ（内側パイプ１２ｉ、外側パイプ１２ｏ）を固着して形成されている。内外両パイプ１２ｉ，１２ｏ共に薄肉のステンレス鋼パイプで形成することができるが、内側パイプ１２ｉは合成樹脂製にすることもできる。
【００２１】
ただし、針管１２の少なくとも先端付近の部分を二重パイプ１２ｉ，１２ｏで形成して、その他の部分を単一パイプ等で形成し、それらを接続固着した構成をとっても差し支えない。なお、針管１２の外径は例えば０．６〜０．８ｍｍ程度、肉厚は内外両パイプ１２ｉ，１２ｏ合わせて例えば０．１〜０．２ｍｍ程度である。
【００２２】
この実施例では、内外二重のパイプ１２ｉ，１２ｏの嵌合面において、外側パイプ１２ｏの先端付近の内周面のみが微細な凹凸を有する粗面１６に形成され、その他の面（即ち、外側パイプ１２ｏの外周面と内側パイプ１２ｉの内外両周面）は、通常の注射針程度の滑らかさの面に形成されている。
【００２３】
このような組み合わせの内外二重のパイプ１２ｉ，１２ｏを製作するには、例えば、針管１２よりはるかに太い径の内外二重のパイプ素材を準備し、外側パイプ材の内周面だけをサンドブラスト処理等で極めて微細な凹凸のある粗面状に加工する。
【００２４】
そして、内外二重のパイプ素材を嵌合させた状態で軸線方向に引き伸ばして所望の太さに成形してから、外側パイプ１２ｏと内側パイプ１２ｉを溶接等で一体に固着すればよい。これは、後述する第２、第３の実施例においても同様である。
【００２５】
粗面１６の各凹凸の大きさは例えば０．０１〜０．０３ｍｍ程度である。なお、図には粗面１６を形成する凹凸が均一に図示されているが、実際には、凹凸の大きさ及び配置等がランダムなものであって差し支えない。
【００２６】
また、内外二重のパイプ１２ｉ，１２ｏがガタつきなく嵌合するように、針先１２ｘ付近には外側パイプ１２ｏに粗面１６が形成されていない嵌合部１７を形成するとよい。そのような嵌合部１７は、サンドブラスト処理の際にマスキングをしておけば形成することができる。
【００２７】
このようにして、外側パイプ１２ｏの内周面のみが微細な凹凸を有する粗面１６に形成された内外二重のパイプ１２ｉ，１２ｏからなる針管１２は、針管１２の外周面が摺接する可撓性チューブ１１が削られるおそれがなく、また、針管１２内に針軸（図示せず）が挿脱する使用法がとられた場合に、針軸が削られるおそれがない。
【００２８】
そして、図１に破線で示されるように、外方から来た超音波信号が微細な凹凸で形成されている粗面１６部分でよく反射されるので、そこで超音波の反射エコー強度が増大されて、針管１２の明瞭な超音波エコー画像を得ることができる。
【００２９】
図３は、針管１２の第２の実施例の先端部分を拡大して示しており、内外二重のパイプ１２ｉ，１２ｏの嵌合面において、内側パイプ１２ｉの外周面のみが微細な凹凸を有する粗面１６に形成され、その他の面（即ち、内側パイプ１２ｉの内周面と外側パイプ１２ｏの内外両周面）は、通常の注射針程度の滑らかさの面に形成されている。
【００３０】
パイプ材の外周面に粗面１６を形成するのは、内周面に形成する場合より加工が容易であり、極細の内側パイプ１２ｉの外周面に粗面１６を直接形成することもできる。ただし、図３に破線で示されるように、超音波エコーが粗面１６で反射される際に粗面１６部分の空気層を通過する影響により、第１の実施例より超音波エコーの強度や解像度が若干低下する。
【００３１】
図４は、針管１２の第３の実施例の先端部分を拡大して示しており、内外二重のパイプ１２ｉ，１２ｏの嵌合面において、外側パイプ１２ｏの内周面と内側パイプ１２ｉの外周面が微細な凹凸を有する粗面１６に形成され、外側パイプ１２ｏの外周面と内側パイプ１２ｉの内周面は、通常の注射針程度の滑らかさの面に形成されている。
【００３２】
このように構成しても、第１及び第２の実施例とほぼ同程度の作用効果が得られる。ただし、内外二重のパイプ１２ｉ，１２ｏがガタつきなく嵌合するように、粗面１６の途中の部分にも、粗面１６が形成されていない嵌合部１７′を形成するとよい。
【符号の説明】
【００３３】
１０  超音波内視鏡用穿刺針
１１  可撓性チューブ
１２  針管
１２ｉ  内側パイプ
１２ｏ  外側パイプ
１６  粗面
１７，１７′  嵌合部
２０  超音波内視鏡
２１  処置具挿通チャンネル
２３  超音波プローブ
【図１】
2010193928.tif 000003
【図２】
2010193928.tif 000004
【図３】
2010193928.tif 000005
【図４】
2010193928.tif 000006